【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
日本工業規格（ＪＩＳ）を用いて蓄電池をテストする方法であって、
（ａ）バッテリの動的パラメータを測定するステップと、
（ｂ）前記バッテリの開放電圧を得るステップと、
（ｃ）前記バッテリの温度を得るステップと、
（ｄ）所定の負荷抵抗値を設定するステップと、
（ｅ）前記測定されたバッテリの動的パラメータ、バッテリの開放電圧、負荷抵抗値及びバッテリ温度の関数として、前記バッテリの負荷電圧を推定するステップと、
（ｆ）前記バッテリのバウンスバック（bounceback）電圧を予測するステップと、
（ｇ）前記バウンスバック電圧、負荷電圧及びバッテリ温度を用いてＪＩＳ寸法区分番号の分類に従って前記バッテリの強度を評価するステップとを含む方法。
【請求項２】
蓄電池をテストする方法であって、
（ａ）バッテリの動的パラメータを測定するステップと、
（ｂ）前記バッテリの開放電圧を得るステップと、
（ｃ）前記バッテリの温度を得るステップと、
（ｄ）所定の負荷抵抗値を設定するステップと、
（ｅ）前記測定されたバッテリの動的パラメータ、バッテリの開放電圧、負荷抵抗値及びバッテリ温度の関数として、前記バッテリの負荷電圧を推定するステップと、
（ｆ）前記バッテリのバウンスバック電圧を予測するステップと、
（ｇ）前記バウンスバック電圧、負荷電圧及びバッテリ温度を用いて前記バッテリの強度を評価するステップとを含む方法。
【請求項３】
請求項１または２に記載の方法であって、前記所定の負荷抵抗値を設定するステップ（ｄ）が、模擬する負荷テスタにとって適当な負荷抵抗値を設定することを含む方法。
【請求項４】
請求項１まはた２に記載の方法であって、前記バッテリ温度を得るステップ（ｃ）が、使用者から提供される入力として前記バッテリ温度を得ることを含む方法。
【請求項５】
請求項１または２に記載の方法であって、前記バッテリ温度を得るステップ（ｃ）が、温度センサからの入力として前記バッテリ温度を得ることを含む方法。
【請求項６】
請求項１または２に記載の方法であって、前記動的パラメータを測定するステップ（ａ）が、印加される電流パルスに対するバッテリの応答を測定することを含む方法。
【請求項７】
請求項１または２に記載の方法であって、前記測定されるバッテリの動的パラメータ値がバッテリのコンダクタンスである方法。
【請求項８】
請求項１または２に記載の方法であって、前記測定されるバッテリの動的パラメータ値がバッテリの抵抗値である方法。
【請求項９】
電子バッテリテスタであって、
バッテリの正端子に結合される正コネクタと、
前記バッテリの負端子に結合される負コネクタと、
前記バッテリの開放電圧を測定するよう構成される電圧センサと
前記バッテリの温度を得るよう構成される入力と、
バッテリテスト回路であって、
（ａ）第１及び第２のコネクタを用いて前記バッテリの動的パラメータを測定し、
（ｂ）前記測定されたバッテリの動的パラメータ、バッテリの開放電圧、負荷抵抗値及びバッテリ温度の関数として、前記バッテリの負荷電圧を推定し、
（ｃ）前記バッテリのバウンスバック電圧を予測し、
（ｄ）前記バウンスバック電圧、負荷電圧及びバッテリ温度を用いてＪＩＳ寸法区分番号の分類に従って前記バッテリの強度を評価するよう構成されるバッテリテスト回路とを備える、電子バッテリテスタ。
【請求項１０】
電子バッテリテスタであって、
バッテリの正端子に結合される正コネクタと、
前記バッテリの負端子に結合される負コネクタと、
前記バッテリの開放電圧を測定するよう構成される電圧センサと
前記バッテリの温度を得るよう構成される入力と、
バッテリテスト回路とを具備し、
該バッテリテスト回路が、
（ａ）第１及び第２のコネクタを用いて前記バッテリの動的パラメータを測定し、
（ｂ）前記測定されたバッテリの動的パラメータ、バッテリの開放電圧、負荷抵抗値及び前記バッテリ温度の関数として、前記バッテリの負荷電圧を推定し、
（ｃ）前記バッテリのバウンスバック電圧を予測し、
（ｄ）前記バウンスバック電圧、負荷電圧及びバッテリ温度を用いて前記バッテリの強度を評価するよう構成された電子バッテリテスタ。
【請求項１１】
請求項９または１０に記載の装置であって、前記入力が使用者から前記バッテリ温度を得るよう構成される装置。
【請求項１２】
請求項９または１０に記載の装置であって、前記入力が温度センサから前記バッテリ温度を得るよう構成される装置。
【請求項１３】
請求項９または１０に記載の装置であって、前記バッテリテスト回路が、印加される電流パルスに対する前記バッテリの応答を測定することによって前記ステップ（ａ）の動的パラメータを測定するように構成される装置。
【請求項１４】
請求項９または１０に記載の装置であって、前記測定されるバッテリの動的パラメータがバッテリのコンダクタンスである装置。
【請求項１５】
請求項９または１０に記載の装置であって、前記測定されるバッテリの動的パラメータがバッテリの抵抗値である装置。
【請求項１６】
請求項９または１０に記載の装置であって、前記正コネクタが第１のケルビンコネクタであり、前記負コネクタが第２のケルビンコネクタである装置。
【請求項１７】
蓄電池をテストする方法であって、
（ａ）バッテリから流れる負荷電流の値を測定するステップと、
（ｂ）前記負荷電流の下で前記バッテリが達する電圧値を測定するステップと、
ステップ（ａ）及び（ｂ）で判断された値を用いて前記バッテリの強度を評価するステップとを含む方法。
【請求項１８】
蓄電池をテストする方法であって、
（ａ）バッテリの開放電圧を得るステップと、
（ｂ）前記バッテリの温度を得るステップと、
（ｃ）前記開放電圧及びバッテリ温度の関数として前記バッテリのバウンスバック電圧を予測するステップとを含む方法。
【手続補正２】
【補正対象書類名】明細書
【補正対象項目名】発明の名称
【補正方法】変更
【補正の内容】
【発明の名称】定抵抗負荷を用いるバッテリテスタを模擬（シミュレート）するための装置及び方法
【手続補正３】
【補正対象書類名】明細書
【補正対象項目名】０００１
【補正方法】変更
【補正の内容】
【０００１】
本発明は蓄電池のテストに関する。より詳しくは、本発明は、日本工業規格（ＪＩＳ）に基づいて分類される日本の電池の強度を評価するために広く用いられている日本の負荷テスタ等の定抵抗負荷を用いるバッテリテスタの模擬（simulating）に関する。本発明は、大きな電流負荷を掛けることなく該装置を模擬し、通常のよくある結果を出し、既存のデータベースを利用し、より確実なテストを提供する。
【手続補正４】
【補正対象書類名】明細書
【補正対象項目名】０００４
【補正方法】変更
【補正の内容】
【０００４】
このテスタは、相当な速さでバッテリを放電する定負荷抵抗器であるため（例えば１５０アンペアで５〜６秒）、かなり大型であり、またテストを繰り返すと熱くなる場合がある。さらに、負荷および回復時間が完了するのを待つのに適度な時間がかかり、またバッテリの充電量が消耗する。さらに、このテスタはバッテリと直接接続されない電圧検出リードを有するため、バッテリ端末で電圧を正確に読み取るには、ケーブルがオーム的（ohmically）に完璧で電流が正確にわからなければならない。また、テスタがテストするバッテリから電力を供給される場合、高負荷によって弱いまたは放電されたバッテリは消耗され、テスタは制御回路の動作を維持するための十分な電力を失い、リセットされる。
【手続補正５】
【補正対象書類名】明細書
【補正対象項目名】０００５
【補正方法】変更
【補正の内容】
【０００５】
従って、より制御しやすいテスト技術を用いる、上述の日本の負荷テスタ及び他の同様の負荷テスタが提供されることが望ましい。
【手続補正６】
【補正対象書類名】明細書
【補正対象項目名】０００９
【補正方法】変更
【補正の内容】
【０００９】
回路１６は、本発明の１つの実施形態に従って作動し、バッテリ１２のコンダクタンス（Ｇ）、バッテリ１２の端子２２、２４間の開放電圧（ＯＣＶ）、およびバッテリ１２のバウンスバック電圧（bounceback voltage）（バッテリが負荷から開放された時から一定時間（例えば３秒）が経過するまでの電圧の変化）を測定する。回路１６は、電流源５０、差動増幅器５２、Ａ／Ｄ変換器５４、及びマイクロプロセッサ５６を備える。増幅器５２は、コンデンサＣ１、Ｃ２を介してバッテリ１２に容量結合される。増幅器５２は、Ａ／Ｄ変換器５４の入力と接続される出力を有する。マイクロプロセッサ５６は、システムクロック５８、メモリ６０、及びＡ／Ｄ変換器５４と接続されている。また、マイクロプロセッサ５６は、入力装置６６、６８からの入力を受け取ることもできる。さらに、マイクロプロセッサ５６は出力装置７２にも接続されている。
【手続補正７】
【補正対象書類名】明細書
【補正対象項目名】００１３
【補正方法】変更
【補正の内容】
【００１３】
ここで、ΔＩは電流源５０によりバッテリ１２を流れる電流の変化、ΔＶは印加される電流ΔＩによるバッテリ電圧の変化を示す。本発明の１つの好適な実施形態において、バッテリ１２の温度は、例えばテスタ使用者によって入力装置６６から入力される。別の実施形態では、バッテリ１２と温度的に結合可能な、マイクロプロセッサ５６と結合される温度センサ７４を回路１６に備えることにより、バッテリ１２の温度を測定して、該バッテリ温度の測定値をマイクロプロセッサ５６に提供する。１つの実施形態では、バッテリの温度は、バッテリの外部からの赤外線信号を用いて測定される。また、マイクロプロセッサ５６は、例えば操作者が入力装置６６から提供する他の入力情報を用いることもできる。この情報には、バッテリの具体的な種類、位置、時間、操作者名、バッテリの寸法区分番号、バッテリ温度などが含まれる。
【手続補正８】
【補正対象書類名】明細書
【補正対象項目名】００１６
【補正方法】変更
【補正の内容】
【００１６】
上記のように、使用者は、バッテリの寸法を入力する。具体的には、クランキング電力幅が徐々に増加する１０段階の寸法区分（０〜９）をバッテリに入力する。ただし、各区分はテスタにプリントされる様々なＪＩＳバッテリ番号と厳密に結び付いている。下記の表１は様々な寸法区分の範囲を示す。
【手続補正９】
【補正対象書類名】明細書
【補正対象項目名】００２０
【補正方法】変更
【補正の内容】
【００２０】
バッテリが負荷を受けている間にテスタを作動する十分な電圧を供給するなら、テスタは、回復後に、低電圧と報告される１１．５ボルト（Ｖ）まで降下させたバッテリのテストを可能にする。実際に電圧が非常に低くなった場合、負荷テスタはリセットするだけであり、何も報告しない。
【手続補正１０】
【補正対象書類名】明細書
【補正対象項目名】００２１
【補正方法】変更
【補正の内容】
【００２１】
このタイプのテスタに関する寸法区分（０〜９）と温度（℃）との基本的な関係は、次の関係を有する。
良好な電圧の場合（Ｖｇボルト）：
Ｖｇ＝８．８＋０．１×ＧｒｏｕｐＳｉｚｅ＋０．０２×ＴｅｍｐＣ    （式２）
ここで、ＧｒｏｕｐＳｉｚｅ＝バッテリの寸法区分（上記表１）、ＴｅｍｐＣ＝バッテリの摂氏温度（上記表２）である。
【手続補正１１】
【補正対象書類名】明細書
【補正対象項目名】００３３
【補正方法】変更
【補正の内容】
【００３３】
さらに、本発明のテスタからは負荷が掛からないため、該テスタは、標準的な負荷テスタであればリセットされるエリアにおいても判定を行うことができ、標準的な負荷テスタより改良されている。特に、バウンスバック電圧が１１．５Ｖ以上で、負荷電圧が極めて低い（＜７Ｖ）場合、該バッテリが「不良／交換」の要因になることは確実である。バウンスバック電圧が１１．５Ｖより低く、ＯＣＶが１１Ｖを超え、負荷電圧がＶｒより低く推定された場合、判断は延期され、該バッテリは「充電して再テスト」のカテゴリーに入れられる。さらに、テスタは、ＯＣＶが１１Ｖより低い場合、重要なコンダクタンスを見つけることによってショートする可能性のあるバッテリを検出することができる。これらは「不良／交換」のカテゴリに入れられる。電圧が極めて低い場合でコンダクタンスがほとんど存在しない場合、該バッテリは「充電して再テスト」のカテゴリーに入れられる。改良された、より具体的な比較及び結果を下記の表４に示す。